(57)【要約】【課題】  表示装置に用いられるイルミネーション部品では、端部で光が急に途切れるようになり、イルミネーション効果としては、美観的にいまひとつという問題点があった。【解決手段】  本発明の表示装置１は、表示画面を表示する表示部３と、筐体内部に設けられた発光体７と、この発光体を覆う位置に取付けられ、周縁部に曲面形状を有し、透過光を減衰する光減衰部材で構成されるイルミネーション部品４とを具備することを特徴とする。【選択図】      図３
2009181074.tif 000002
【特許請求の範囲】
【請求項１】
表示画面を表示する表示部と、
筐体内部に設けられた発光体と、
この発光体を覆う位置に取付けられ、周縁部に曲面形状を有し、透過光を減衰する光減衰部材で構成されるイルミネーション部品と
を具備することを特徴とする表示装置。
【請求項２】
前記発光体は、前記表示装置の電源がＯＮにされた時に点灯され、電源がＯＦＦにされた時に、消灯することを特徴とする請求項１記載の表示装置。
【請求項３】
前記光減衰部材は、スモーク材であることを特徴とする請求項１記載の表示装置
【発明の詳細な説明】
【技術分野】
【０００１】
本発明は、映像を表示する表示装置等のに関するもので、さらに、イルミネーション機能を有する表示装置に関する。
【背景技術】
【０００２】
テレビあるいはコンピュータ用のモニターのような表示装置では、商品価値を高めるために、大型化及び薄型化が進んでいる。表示装置の大型化により、室内に設置したときの存在感が高まることから、美観を高めることも、商品価値を高めるための方法の重要になってきている。
【０００３】
表示装置の美観を高める方法として、例えば、内部にランプを有し、上キャビネットと下キャビネットが分離可能な表示装置において、その前面に透明または半透明のイルミネーションバーを設けることにより、装飾的な効果を高めることが行われている（例えば、特許文献１）。
【特許文献１】特開２００４−１０９３９９公報
【発明の開示】
【発明が解決しようとする課題】
【０００４】
通常、イルミネーション機能は、内部の光を多少減衰することにより淡い光を出すことで、イルミネーション効果を出すものである。しかしながら、従来の表示装置では、上キャビネットと下キャビネットが分離可能な表示装置であるため、イルミネーションバーは、上下キャビネット間の隙間の位置調整のための隙間調整をかねている。このため、テレビ装置の右端から左端まで設けられており、その端部では光が急に途切れるようになるため、イルミネーション効果としては、美観的にいまひとつという問題点があった。
【０００５】
本発明は、上記事情によりなされたもので、その目的は、表示装置のイルミネーション効果を高めるために、光減衰部材で構成されたイルミネーション部材の端部で減衰感を出し、より美観を高めた、表示装置に関するイルミネーション機能を有するテレビ装置を提供することを目的とする。
【課題を解決するための手段】
【０００６】
上記目的を達成するために本発明の表示装置は、表示画面を表示する表示部と、筐体内部に設けられた発光体と、この発光体を覆う位置に取付けられ、周縁部に曲面形状を有し、透過光を減衰する光減衰部材で構成されるイルミネーション部品とを具備することを特徴とする。
【０００７】
このような構成を有することにより、スムーズな減衰感を表現可能としたイルミネーション機能を具備した表示装置を提供できる。
【発明の効果】
【０００８】
本発明では、イルミネーション部材として、光減衰部材と曲面形状を組み合わせることで、透過光の減衰量を変化させ、スムーズな減衰感を有するイルミネーションを表現可能にする。
【発明を実施するための最良の形態】
【０００９】
以下、図面を参照して本発明の実施の形態を詳細に説明する。
図１は、表示装置の一例であるテレビ１の正面図を示す図である。
液晶テレビ１は、合成樹脂製の筐体２と、この筐体２の内部に収容されたフラットな表示パネル３とを含んでいる。筐体２は、テレビ１の商品価値を高めるため薄型化が強化されており、その奥行き寸法が幅寸法および高さ寸法に比べて極端に小さくなっている。
【００１０】
さらに、筐体２の前面には、表示パネル３の下の中央部にはイルミネーション部品４が取付けられ、イルミネーション部品４の内部には、発光体としてのＬＥＤ７が、設けられている。
【００１１】
また、表示パネル３の右下には、電源スイッチ５が設けられている。
また、６は、例えばテレビ台等の据え付け面にテレビ１全体を支えるための表示スタンド部である。
図２は、イルミネーション部品４の斜視図である。
このイルミネーション部品４は、光透過のフィルターとして機能する部品であるため、光減衰部材（例えばスモーク材等）で構成される。また、その形状は、中央部４１は略一定の幅で肉厚が少なく、両端部４２では曲面形状により奥行き方向の肉厚が大きくなっている。４３は筐体２へ取付ける際に、筐体内部に勘合する取付け部である。
【００１２】
図３は、イルミネーション部品４と、発光体７との位置関係を示す図であり、上から見た図である天面視と、前面から見た図である前面視である。
発光体は、例えば基板上８に複数のＬＥＤ（例えば５個程度）７が設けられている。この発光体（ＬＥＤ）７は、例えば表示装置１の電源の状態を示すため、電源がＯＮされると点灯し、電源がＯＦＦされると消灯するようになっている。なお、ＬＥＤの点灯／消灯のタイミングは、電源ＯＮ／ＯＦＦに関係なく、常時点灯でもよい。または、ある特定の操作が行われたときに、点灯／消灯するようにしてもよい。また、発光体はＬＥＤに限定されず、発光する素子であれば、何でもよい。
【００１３】
図４は、発光体からの光の進み方と減衰の様子を説明するための図である。
図４の天面視において、発光体（ＬＥＤ）７から出た光は、矢印のようにイルミネーション部品４に向かいそれぞれ進む。そして、光はイルミネーション部品４の内側（直線または曲面）に当たり、奥行き方向を通過して、筐体の外部方向へ進む。
【００１４】
ここで、イルミネーション部品４は、スモーク材部品で構成されているため、通過距離が長いほど（奥行きが大きいほど）光は減衰していく。つまり、センター付近では、イルミネーション部品４の奥行き方向の距離が短いため、光の減衰量は少なく、均一発色域となる。
【００１５】
一方、センターから離れた位置では、イルミネーション部品の奥行き方向の肉厚が大きく、光がイルミネーション部品４に対して斜めに入るため、透過距離が長くなる。このため、イルミネーション部品の奥行き方向の肉厚が大きいため、イルミネーション部品での、肉厚部での減衰率が上がり、この部分が減衰域となる。
【００１６】
したがって、図３下の前面視で示すように、「光は、奥行きの小さいセンター側で均一な発色を示し、奥行きの大きい両端ほど減衰していく」という発色表現を示す。
【００１７】
図５は、イルミネーション部品上における、発色強さとセンターからの距離の関係を示す図である。センター側の奥行きが均一な箇所は、発色が一定であるが、両端では奥行き増加のため、光は減衰する。
【００１８】
以上の説明したように、本実施の形態では、イルミネーション部品４にスモーク材を使用するとともに、曲面形状を組み合わせることで、透過光の奥行きを変化させ、スムーズな減衰感を表現可能にする。また、曲面形状であることから、減衰開始位置が目立たず、広視野角から見ることが可能となる。
【００１９】
なお、本発明は上記実施の形態に特定されるものではなく、発明の主旨を逸脱しない範囲内で種々変更して実施可能である。
例えば、本発明に係る表示装置は、液晶テレビに限らず、プラズマテレビやコンピュータ用のモニターであってもよい。
【図面の簡単な説明】
【００２０】
【図１】本発明の表示装置の一例の正面図を示す図。
【図２】本発明のイルミネーション部品の斜視図。
【図３】本発明のイルミネーション部品と、発光体との位置関係を示す図。
【図４】本発明の発光体の光の進み方と減衰の様子を説明するための図。
【図５】本発明の発色強さとセンターからの距離の関係を示す図。
【符号の説明】
【００２１】
１・・・テレビ
２・・・筐体
３・・・表示パネル
４・・・イルミネーション部品
５・・・電源スイッチ
６・・・スタンド部
７・・・発光体（ＬＥＤ）
【図１】
2009181074.tif 000003
【図２】
2009181074.tif 000004
【図３】
2009181074.tif 000005
【図４】
2009181074.tif 000006
【図５】
2009181074.tif 000007